(57)【要約】【課題】動作を一切行わなくても受話音声を聞くことができると共に電話機を一切操作することなく送話することが可能であり、使用者の意思によっても送話することができる電話システムを提供する。【解決手段】電話機１１が呼出信号を受信すると制御装置３３が電話機１１を自動的に通話状態にし、内蔵マイクロホンスイッチ１８が非操作時には内蔵スピーカ１３を作動させて受話音声を出力させ、電話機１１が話中信号を受信すると制御装置３３が電話機１１を自動的に非通話状態にする。また、電話機１１が通話選択信号を受信すると、制御装置３３が内蔵スピーカ１３と内蔵マイクロホン１７との何れか一方のみを作動させる。また、内蔵マイクロホンスイッチ１８を操作することによっても、内蔵マイクロホン１７を作動状態にすることができる。【選択図】図１
2008131133.tif 000002
【特許請求の範囲】
【請求項１】
受話音声を出力するための内蔵スピーカと、
送話音声を入力するための内蔵マイクロホンと、
前記内蔵スピーカと前記内蔵マイクロホンとのうちで非操作時には前記内蔵スピーカのみを作動させて操作時には前記内蔵マイクロホンのみを作動させるための通話選択手段と、
呼出信号を受信したときに自動的に通話状態にし、通話選択信号を受信したときに前記内蔵スピーカと前記内蔵マイクロホンとの何れか一方のみを作動させ、話中信号を受信したときに自動的に非通話状態にするための制御装置と
を具備する電話機を含む電話システム。
【請求項２】
前記内蔵スピーカの音量を調整するための音量調整手段を前記電話機が更に具備する請求項１に記載の電話システム。
【請求項３】
前記通話状態を前記非通話状態にするための停止手段を前記電話機が更に具備する請求項１に記載の電話システム。
【請求項４】
前記受話音声の周波数特性を補正するための等価器を前記電話機が更に具備する請求項１に記載の電話システム。
【請求項５】
外部スピーカを接続するためのライン出力端子を前記電話機が更に具備する請求項１に記載の電話システム。
【請求項６】
外部マイクロホンを接続するための外部マイクロホン接続端子を前記電話機が更に具備する請求項１に記載の電話システム。
【請求項７】
前記電話機と固定電話機とが電話回線分岐アダプタを介して電話網に接続されており、前記非通話状態を前記通話状態にするための起動手段を前記電話機が更に具備する請求項１に記載の電話システム。
【請求項８】
携帯電話機を接続するための携帯電話機接続端子を前記電話機が更に具備する請求項１に記載の電話システム。
【請求項９】
前記非通話状態を前記通話状態にするための起動手段を前記電話機が更に具備する請求項８に記載の電話システム。
【請求項１０】
放送機器を接続するためのライン入力端子と、
このライン入力端子に接続されているインピーダンス整合器と
を前記電話機が更に具備する請求項１に記載の電話システム。
【請求項１１】
電話網を介して複数の前記電話機と接続するための多回線ダイヤル装置を具備する請求項１に記載の電話システム。
【請求項１２】
接続中の前記電話機を表示するための接続先表示装置を更に具備する請求項１１に記載の電話システム。
【請求項１３】
接続中の前記電話機が前記多回線ダイヤル装置からの発信による接続中か前記多回線ダイヤル装置への着信による接続中かを前記接続先表示装置が区別して表示することのできる請求項１２に記載の電話システム。
【発明の詳細な説明】
【技術分野】
【０００１】
本発明は、電話機を含む電話システムに関するものである。
【背景技術】
【０００２】
従来の電話機にも、受話器を持ち上げることなく通話先の電話番号を押すことができ、また、予め電話機の設定をしておけば、受話器を持ち上げることなく着信に応答して通話状態にすることもできる機種がある。この様な電話機には、受話器の代わりに使用するためのスピーカ及びマイクロホンが内蔵されており、スピーカの音量を調整することもできる。
【発明の開示】
【発明が解決しようとする課題】
【０００３】
しかし、上述の従来の電話機でも、受話器を持ち上げることなく着信に応答して通話状態にする所謂ハンズフリー通話を行うためには、予め電話機の設定をしておくほかに、電話の着信時に電話機のマイクロホンに向かって音声で応答する必要がある。つまり、受話音声を聞くだけでも何らかの動作を行う必要があり、老人等の身体不自由者では受話音声を聞くことさえも容易ではない。
【０００４】
また、上述の従来の電話機では、受話器の代わりにスピーカ及びマイクロホンを使用することが前提になっているので、スピーカとマイクロホンとが同時に作動する。このため、老人等の難聴者がこの電話機を使用できる様にスピーカの音量を大きくし過ぎると、スピーカから出力された音声がマイクロホンから入力されてハウリングが生じるので、難聴の程度に応じて電話機のスピーカ音量を任意に調整することができない。ハウリングを低減させるためにエコーキャンセラを内蔵している電話機もあるが、エコーキャンセラが高価なために電話機が高価になるうえに、エコーキャンセラによってもハウリングを完全には消去することができなくて、実用的ではない。
【０００５】
従って、本発明は、電話機の操作を十分には行えない老人等の身体不自由者であっても、例えば電話機を枕元に置いておくだけで動作を一切行わなくても受話音声を聞くことができると共に電話機を一切操作することなく送話することが可能であり、使用者の意思によっても送話することができ、老人等の難聴の程度に応じて電話機のスピーカ音量を任意に調整することもできる、電話システムを提供することを目的としている。
【課題を解決するための手段】
【０００６】
請求項１に係る電話システムでは、電話機が呼出信号を受信すると制御装置が電話機を自動的に通話状態にし、通話選択手段が非操作時には内蔵スピーカを作動させて受話音声を出力させ、電話機が話中信号を受信すると制御装置が電話機を自動的に非通話状態にする。このため、電話機の使用者が着信者であって通話の停止も発信者が行えば、内蔵スピーカからの受話音声の出力が総て自動的に行われる。
【０００７】
また、電話機が通話選択信号を受信すると、制御装置が内蔵スピーカと内蔵マイクロホンとの何れか一方のみを作動させる。このため、内蔵マイクロホンを作動させる通話選択信号を通話相手が送信すれば、内蔵マイクロホンが自動的に作動状態になる。また、電話機の使用者が通話選択手段を操作することによっても、内蔵マイクロホンを作動状態にすることができる。
【０００８】
請求項２に係る電話システムでは、電話機の音量調整手段で内蔵スピーカの音量を調整することができるが、通話選択手段または制御装置が内蔵スピーカと内蔵マイクロホンとの何れか一方しか作動させない。このため、内蔵スピーカの音量を音量調整手段で大きくしていても、内蔵マイクロホンを使用して送話している状態では内蔵スピーカから受話音声が聞こえておらず、ハウリングが全く生じない。
【０００９】
請求項３に係る電話システムでは、電話機の停止手段を操作することによって通話状態を非通話状態にすることができる。
【００１０】
請求項４に係る電話システムでは、電話機の等価器を調整することによって内蔵スピーカからの受話音声の周波数特性を補正することができる。
【００１１】
請求項５に係る電話システムでは、ライン出力端子を介して外部スピーカを電話機に接続することができる。
【００１２】
請求項６に係る電話システムでは、外部マイクロホン接続端子を介して外部マイクロホンを電話機に接続することができる。
【００１３】
請求項７に係る電話システムでは、電話機と固定電話機とが電話回線分岐アダプタを介して電話網に接続されており、電話機の起動手段を操作することによって非通話状態を通話状態にすることができる。このため、固定電話機から電話網へ発信してこの固定電話機が通話状態になった後に電話機の起動手段を操作することによって、電話機を通話状態にすることができる。
【００１４】
請求項８に係る電話システムでは、携帯電話機接続端子を介して携帯電話機を電話機に接続することができる。
【００１５】
請求項９に係る電話システムでは、電話機の起動手段を操作することによって非通話状態を通話状態にすることができる。このため、携帯電話機から電話網へ発信してこの携帯電話機が通話状態になった後に電話機の起動手段を操作することによって、電話機を通話状態にすることができる。
【００１６】
請求項１０に係る電話システムでは、ライン入力端子を介して放送機器を電話機に接続することができ、しかも、インピーダンス整合器によって放送機器を電話機にインピーダンス整合することができる。このため、専用の装置を用いることなく放送機器を電話網に接続することができる。
【００１７】
請求項１１に係る電話システムでは、多回線ダイヤル装置及び電話網を介して複数の電話機と接続することができ、しかも電話機の通話選択手段が非操作時には内蔵スピーカを作動させて内蔵マイクロホンを作動させていない。このため、複数の電話機に対してハウリングを生じることなく通話することができる。
【００１８】
請求項１２に係る電話システムでは、多回線ダイヤル装置に接続中の電話機を接続先表示装置で表示することができる。このため、多回線ダイヤル装置に接続中の電話機を容易に把握することができる。
【００１９】
請求項１３に係る電話システムでは、接続中の電話機が多回線ダイヤル装置からの発信による接続中か多回線ダイヤル装置への着信による接続中かを接続先表示装置が区別して表示することができる。このため、多回線ダイヤル装置からの発信による接続は行わずに、多回線ダイヤル装置への着信による接続中の電話機に対してのみ通話を行うことが可能である。
【発明の効果】
【００２０】
請求項１に係る電話システムでは、電話機の使用者が着信者であって通話の停止も発信者が行えば、内蔵スピーカからの受話音声の出力が総て自動的に行われる。従って、電話機の操作を十分には行えない老人等の身体不自由者であっても、例えば電話機を枕元に置いておくだけで、動作を一切行わなくても受話音声を聞くことができる。
【００２１】
また、内蔵マイクロホンを作動させる通話選択信号を通話相手が送信すれば、内蔵マイクロホンが自動的に作動状態になるので、電話機を一切操作することなく送話することが可能である。また、電話機の使用者が通話選択手段を操作することによっても、内蔵マイクロホンを作動状態にすることができるので、使用者の意思によっても送話することができる。
【００２２】
請求項２に係る電話システムでは、電話機の内蔵スピーカの音量を音量調整手段で大きくしていても、内蔵マイクロホンを使用して送話している状態では内蔵スピーカから受話音声が聞こえておらず、ハウリングが全く生じない。従って、老人等の難聴の程度に応じて電話機の内蔵スピーカの音量を任意に調整することができる。
【００２３】
請求項３に係る電話システムでは、電話機の停止手段を操作することによって通話状態を非通話状態にすることができるので、電話機の使用者の意思によって通話を終了させることができる。
【００２４】
請求項４に係る電話システムでは、電話機の等価器を調整することによって内蔵スピーカからの受話音声の周波数特性を補正することができるので、例えば低音を聞き取り難い老人等に対しては受話音声の高音を強調して聞き取り易くすることができる。
【００２５】
請求項５に係る電話システムでは、ライン出力端子を介して外部スピーカを電話機に接続することができるので、例えば電話機の内蔵スピーカよりも高出力の外部スピーカを電話機に接続して、難聴の老人等が聞き取り易くしたり、教室等における大人数での聞き取りを可能にしたりすることができる。
【００２６】
請求項６に係る電話システムでは、外部マイクロホン接続端子を介して外部マイクロホンを電話機に接続することができるので、例えば、小型の外部マイクロホンを電話機の使用者の口元等に近接させて使用者が送話し易くしたり、教室等での放送用マイクロホンからの音声信号をそのまま送出したりすることができる。
【００２７】
請求項７に係る電話システムでは、固定電話機から電話網へ発信してこの固定電話機が通話状態になった後に電話機の起動手段を操作することによって、電話機を通話状態にすることができるので、所望の相手と通話することが可能である。
【００２８】
請求項８に係る電話システムでは、携帯電話機接続端子を介して携帯電話機を電話機に接続することができるので、有線の電話回線が敷設されていない場所でも電話機を使用することができる。
【００２９】
請求項９に係る電話システムでは、携帯電話機から電話網へ発信してこの携帯電話機が通話状態になった後に電話機の起動手段を操作することによって、電話機を通話状態にすることができるので、所望の相手と通話することが可能である。
【００３０】
請求項１０に係る電話システムでは、専用の装置を用いることなく放送機器を電話網に接続することができるので、一回線用の簡易な電話放送を低コストで実現することができる。
【００３１】
請求項１１に係る電話システムでは、複数の電話機に対してハウリングを生じることなく通話することができるので、電話放送や電話会議等を容易に実現することができる。
【００３２】
請求項１２に係る電話システムでは、多回線ダイヤル装置に接続中の電話機を容易に把握することができるので、電話放送の聴取者や電話会議の参加者等を容易に把握することができる。
【００３３】
請求項１３に係る電話システムでは、多回線ダイヤル装置からの発信による接続は行わずに、多回線ダイヤル装置への着信による接続中の電話機に対してのみ通話を行うことが可能であるので、電話放送の聴取や電話会議への参加等の自由意思を尊重することができる。
【発明を実施するための最良の形態】
【００３４】
以下、図面を参照しながら、本発明の実施形態を説明する。図１が、電話機の実施形態を示している。この電話機１１の筐体１２の前面には受話音声を出力するための内蔵スピーカ１３と電源ランプ１４と内蔵マイクロホンランプ１５とが設けられており、筐体１２の側面には内蔵スピーカ１３用のボリューム摘み１６が設けられている。筐体１２の上面には、送話音声を入力するための無指向性の内蔵マイクロホン１７と内蔵マイクロホンスイッチ１８と起動スイッチ２１と停止スイッチ２２とが設けられている。筐体１２の背面から電話線２３が延びており、モジュラー形式の電話ジャック（図示せず）に差し込むための電話プラグ２４が電話線２３の先端部に取り付けられている。
【００３５】
筐体１２の背面には直流電源接続端子２５が設けられており、この直流電源接続端子２５に直流電源を接続すると電源ランプ１４が点灯する。筐体１２の背面には、更に、外部マイクロホン接続端子２６と等価器摘み２７とライン入力端子２８とライン出力端子３１と携帯電話機接続端子３２とが設けられている。筐体１２内には直流電源接続端子２５を介して直流電力を供給される種々の装置が収容されており、主な装置として制御装置３３と増幅器３４とがある。この電話機１１は単独では発信することができず、制御装置３３も受信専用である。
【００３６】
図２は、上述の電話機１１のみを含む最も簡単な構成であって電話機１１に着信することだけができる電話システムの実施形態を示している。この電話システムでは、電話機１１が電話線２３によって電話網３５に接続されており、電話網３５には多数の従来の電話機３６が接続されている。この電話システムにおいて電話機３６の使用者が電話機１１の使用者と通話するためには、電話機３６で電話機１１を呼び出す。電話機１１が呼出信号を受信すると、制御装置３３がこの電話機１１を自動的に通話状態にする。
【００３７】
制御装置３３が電話機１１を自動的に通話状態にしただけで電話機１１の使用者が何も操作を行わなければ、図１（ｃ）に示されている様に、内蔵スピーカ１３が増幅器３４を介して制御装置３３に接続されていて、内蔵マイクロホン１７は内蔵マイクロホンスイッチ１８のために制御装置３３から切断されている。このため、電話機３６の使用者の送話音声が内蔵スピーカ１３から聞こえるが、ボリューム摘み１６を操作して内蔵スピーカ１３からの送話音声をいくら大きくしてもこの送話音声は内蔵マイクロホン１７から入力されず、ハウリングが生じない。
【００３８】
内蔵マイクロホン１７が制御装置３３から切断されているので、電話機１１の使用者が音声で応答しても、この応答音声は内蔵マイクロホン１７から入力されなくて電話機３６へ送信されない。内蔵スピーカ１３から出力されている受話を聞いて電話機１１の使用者が電話機３６の使用者に送話したくなれば、内蔵マイクロホンスイッチ１８を押圧した状態で内蔵マイクロホン１７に向かって発声すればよい。この押圧状態では、内蔵マイクロホン１７が制御装置３３に接続されている。また、この押圧状態では、内蔵マイクロホンランプ１５が点灯するので、内蔵マイクロホン１７を使用可能であることを確認することができる。
【００３９】
また、この押圧状態では、内蔵スピーカ１３が制御装置３３から切断されており、電話機３６の使用者が送話しても、この送話音声が内蔵スピーカ１３から出力されないので、やはりハウリングが生じない。電話機１１の使用者が送話を終了して電話機３６の使用者の送話音声を聞くためには、内蔵マイクロホンスイッチ１８の押圧を解除するだけでよい。この解除によって、再び、内蔵スピーカ１３が制御装置３３に接続されると共に内蔵マイクロホン１７が制御装置３３から切断される。つまり、電話機１１と電話機３６との間では半二重通話が行われる。
【００４０】
更に、内蔵スピーカ１３と内蔵マイクロホン１７との何れを制御装置３３に接続するのかの選択を、電話機１１の使用者による内蔵マイクロホンスイッチ１８の操作によって行うのではなく、電話機３６から電話機１１への信号の送出によって行うこともできる。即ち、制御装置３３が、電話機３６からの例えば一桁のプッシュ信号「＊」を受信するたびに、制御装置３３に対する内蔵スピーカ１３と内蔵マイクロホン１７との接続を切り換える。あるいは、制御装置３３が、電話機３６からある信号を受信した時に内蔵スピーカ１３を制御装置３３に接続し、別の信号を受信した時に内蔵マイクロホン１７を制御装置３３に接続する様にしてもよい。
【００４１】
電話機１１の使用者と電話機３６の使用者との通話が終了すると、何れの側からも通話終了操作つまり停止操作を行うことができる。電話機１１の使用者よりも先に電話機３６の使用者が停止操作を行うと、電話機１１の制御装置３３が話中信号を受信するので、この制御装置３３が電話機１１を自動的に非通話状態にする。電話機３６の使用者よりも先に電話機１１の使用者が停止操作を行うためには、停止スイッチ２２を一度押圧するだけでよい。
【００４２】
なお、老人等のなかには例えば低音を聞き取り難い人もいる。その様な人に対しては、等価器摘み２７を操作して筐体１２内の等価器（図示せず）を調整することによって内蔵スピーカ１３からの受話音声の周波数特性を補正し、受話音声の高音を強調して聞き取り易くすることができる。更に、ライン出力端子３１を介して内蔵スピーカ１３よりも高出力の外部スピーカ（図示せず）を電話機１１に接続して難聴の老人等が聞き取り易くすることもできる。
【００４３】
また、内蔵マイクロホン１７が無指向性であるので、電話機１１を例えば枕元に置いておけば、老人等の身体不自由者であっても送話することができる。しかし、発声を十分には行えない老人等に対しては、外部マイクロホン接続端子２６に外部マイクロホン（図示せず）を接続して、この外部マイクロホンを電話機１１の使用者の口元等に近接させて使用者が送話し易くすることもできる。
【００４４】
外部マイクロホンを外部マイクロホン接続端子２６に接続すると、筐体１２内のリレー回路（図示せず）が作動し、内蔵マイクロホン１７、内蔵マイクロホンスイッチ１８及び内蔵スピーカ１３が制御装置３３から切断され、外部マイクロホンが常につまり内蔵マイクロホンスイッチ１８を操作しなくても使用可能になる。この場合も、内蔵スピーカ１３が制御装置３３から切断されているので、やはりハウリングが生じない。
【００４５】
図３は、電話機１１側から発信することもできる電話システムの実施形態を示している。但し、既述の様に電話機１１は単独では発信することができないので、この電話システムでは、電話機１１と従来の固定電話機３７とが電話回線分岐アダプタ３８に接続されており、この電話回線分岐アダプタ３８が電話網３５に接続されている。なお、本明細書における「固定電話機」とはＩＰ電話機も含んでおり、その場合はＩＰ電話機に必要なＶｏＩＰアダプタ等の各種機器が電話回線分岐アダプタ３８と電話網３５との間に接続されている。
【００４６】
この電話システムでは、電話機３６が固定電話機３７及び電話機１１に対して発信すると、この発信による呼出信号を固定電話機３７と電話機１１との両方が受信し、電話機１１の制御装置３３によって電話機１１が自動的に通話状態になる。この通話状態では、固定電話機３７も受話器を持ち上げれば電話機１１及び電話機３６の両方と通話できる。
【００４７】
一方、電話機３６に対して発信を行って通話を行うためには、まず固定電話機３７で電話機３６に対して発信を行い、固定電話機３７と電話機３６とが通話状態になった後に電話機１１の起動スイッチ２１を一度押圧し、その後に固定電話機３７の受話器を置けばよい。この場合も、電話機１１と電話機３６とが通話中であれば、固定電話機３７は受話器を持ち上げさえすれば電話機１１及び電話機３６の両方と通話できる。
【００４８】
図４は、有線の電話回線が敷設されていない場所、例えば老人施設の各部屋、でも電話機１１を使用することができる電話システムの実施形態を示している。この電話システムでは、電話機１１の携帯電話機接続端子３２に携帯電話機４１が接続されている。携帯電話機４１を携帯電話機接続端子３２に接続すると、筐体１２内のリレー回路（図示せず）が作動して、携帯電話機４１が増幅器３４に接続されると共に制御装置３３が増幅器３４から切断される。従って、電話機１１による総ての通話が携帯電話機４１を介して行われ、携帯電話機４１を使用して電話機１１側から発信することもできる。
【００４９】
図５は、一回線用の簡易な電話放送を実現するための電話システムの実施形態を示している。この電話システムでは、電話放送局側において電話機１１と従来の固定電話機３７とが電話回線分岐アダプタ３８に接続されている。電話回線分岐アダプタ３８が電話網３５に接続されており、電話放送局側の電話機１１のライン入力端子２８に放送機器４２の増幅器出力端子やヘッドホン端子等が接続されている。
【００５０】
放送機器４２にはマイクロホン４３やスピーカ４４等が接続されており、これらについての信号を混合するための混合器や上述の増幅器等が放送機器４２に含まれている。このため、電話機１１のライン入力端子２８に放送機器４２を接続すると、筐体１２内のリレー回路（図示せず）が作動し、内蔵マイクロホン１７、内蔵マイクロホンスイッチ１８及び内蔵スピーカ１３が制御装置３３から切断される。ライン入力端子２８には筐体１２内でインピーダンス整合器（図示せず）が接続されているので、このインピーダンス整合器によって放送機器４２を電話機１１にインピーダンス整合することができて、電話放送用の専用の装置を用いる必要がない。
【００５１】
なお、この実施形態では電話放送の聴取者側では電話放送の受信を待っているだけであるが、電話放送聴取者側の単独の電話機１１の代わりに、図３に示されている電話機１１と固定電話機３７と電話回線分岐アダプタ３８との組み合わせを使用したり、図４に示されている電話機１１と携帯電話機４１との組み合わせを使用したりすることによって、電話放送を受信するために電話放送局に対して発信することもできる。
【００５２】
図６は、多回線用の電話放送や電話会議等を実現するための電話システムの実施形態を示している。この電話システムでは、複数台の電話機１１が電話網３５に接続されており、電話放送局側や電話会議主催者側等に放送機器４５が設置されている。この放送機器４５には、マイクロホン４３やスピーカ４４や接続先表示装置４６等が接続されており、混合器やインピーダンス整合器や増幅器や多回線ダイヤル装置等が含まれている。
【００５３】
放送機器４５は、多回線ダイヤル装置及び複数の電話回線を介して電話網３５に接続されている。多回線ダイヤル装置には、複数台の電話機１１へ自動発信を行う種類と手動発信を行う種類とがある。接続先表示装置４６は、この放送機器４５に接続中の電話機１１を表示し、接続中の電話機１１が放送機器４５からの発信による接続中か放送機器４５への着信による接続中かも区別して表示する。
【００５４】
既述の様に電話機１１は呼出信号を受信して自動的に通話状態になるので、以上の様な電話システムによる電話放送では、必要な聴取者へいつでも放送を行うことができる。また、以上の様な電話システムによる電話会議では、発言を希望する電話機１１の使用者は、電話機１１の内蔵マイクロホンスイッチ１８を押圧して、発言し、発言が終了すると内蔵マイクロホンスイッチ１８の押圧を解除すればよい。上述の様に電話機１１ではハウリングが生じないので、多数台の電話機１１で同時に電話放送を聴取させたり電話会議に参加させたりすることができる。
【００５５】
なお、この図６の実施形態でも、図５の実施形態について述べた様に、電話放送聴取者側または電話会議参加者側の単独の電話機１１の代わりに、図３に示されている電話機１１と固定電話機３７と電話回線分岐アダプタ３８との組み合わせを使用したり、図４に示されている電話機１１と携帯電話機４１との組み合わせを使用したりすることもできる。
【産業上の利用可能性】
【００５６】
本発明は、老人等の身体不自由者であっても使用し易く電話放送や電話会議等にも使用することのできる電話システムの製造等に利用することができる。
【図面の簡単な説明】
【００５７】
【図１】本発明の電話機の実施形態を示しており、（ａ）は斜視図、（ｂ）は背面図、（ｃ）は筐体内の概略的なブロック図である。
【図２】最も簡単な構成の本発明の電話システムの実施形態を示すブロック図である。
【図３】電話機側から発信することもできる本発明の電話システムの実施形態を示すブロック図である。
【図４】有線の電話回線が敷設されていない場所でも電話機を使用することができる本発明の電話システムの実施形態を示すブロック図である。
【図５】一回線用の簡易な電話放送を実現するための本発明の電話システムの実施形態を示すブロック図である。
【図６】多回線用の電話放送や電話会議等を実現するための本発明の電話システムの実施形態を示すブロック図である。
【符号の説明】
【００５８】
１１    電話機
１３    内蔵スピーカ
１６    ボリューム摘み（音量調整手段）
１７    内蔵マイクロホン
１８    内蔵マイクロホンスイッチ（通話選択手段）
２１    起動スイッチ（起動手段）
２２    停止スイッチ（停止手段）
２６    外部マイクロホン接続端子
２８    ライン入力端子
３１    ライン出力端子
３２    携帯電話機接続端子
３３    制御装置
３５    電話網
３８    電話回線分岐アダプタ
４２    放送機器
４５    放送機器（多回線ダイヤル装置）
４６    接続先表示装置
【図１】
2008131133.tif 000003
【図２】
2008131133.tif 000004
【図３】
2008131133.tif 000005
【図４】
2008131133.tif 000006
【図５】
2008131133.tif 000007
【図６】
2008131133.tif 000008